【事件の表示】
　特願２００１−５５４８６９「凹版印刷機」拒絶査定不服審判事件〔平成１３年　８月　２日国際公開、ＷＯ０１／５４９０４、平成１５年　７月　８日国内公表、特表２００３−５２０７０７〕について、次のとおり審決する。
【結　論】
　本件審判の請求は、成り立たない。
【理　由】
第１　手続の経緯  
　本願は、２０００年１２月１６日（「パリ条約による優先権主張外国庁受理２０００年１月２５日、独国、２０００年５月２５日、独国」）を国際出願日とする出願であって、拒絶理由通知に応答して平成１６年１１月２２日付けで手続補正がされたが、平成１７年３月１１日付けで拒絶査定がされ、これを不服として平成１７年６月１４日付けで審判請求がされるとともに、同日付けで手続補正がされ、当審において、平成１７年６月１４日付け手続補正が平成２０年１０月２０日付けで却下されるとともに、同日付けで拒絶の理由（以下「当審拒絶理由」という。）が通知され、平成２１年３月２４日付け手続補正がなされた。これに対し、当審において、同年６月２３日付けで審尋がなされたところ、同年１２月１５日付けで請求人は回答書を提出した。
　
第２　本願発明 
１　本願の請求項１ないし１４に係る発明は、平成２１年３月２４日付け手続補正により補正された明細書及び図面の記載からみて、その特許請求の範囲の請求項１ないし１４に記載された事項によってそれぞれ特定される次のとおりのものであるところ、請求項１に係る発明（以下「本願発明」という。）は、請求項１として記載されたとおりのものである。
 
「【請求項１】　凹版印刷機において、
　版胴が設けられており、該版胴に少なくとも１つの凹版が設けられており、該凹版が、凹版インキを収容するのに適した微細な溝によって形成される凹版印刷パターンと、スクリーンインキを収容するのに適した比較的大きな凹部によって形成されるスクリーン印刷パターンとを備えており、比較的大きな凹部が、凹版インキを収容する微細な溝よりも大きくなっており、
　前記凹版の凹版印刷パターンにインキを供給するための手段が設けられており、該インキ供給手段が、前記凹版の微細な溝に凹版インキを供給するようになっており、
　圧胴が設けられており、該圧胴が、版胴と圧胴との間を通過する被印刷材料に印刷を行うために版胴と協働するようになっており、
　スクリーンインキを、前記凹版のスクリーン印刷パターンに供給するための少なくとも１つのスクリーン印刷胴が設けられており、該スクリーン印刷胴が、前記凹版の比較的大きな凹部にスクリーンインキを伝達するようになっていることを特徴とする、凹版印刷機。 
　【請求項２】　前記版胴が、彫刻凹版を備えている、請求項１記載の凹版印刷機。
　【請求項３】　前記版胴に、集合胴が配設されており、該集合胴が、前記凹版の微細な溝に前記凹版インキを供給するようになっている、請求項１記載の凹版印刷機。
　【請求項４】　前記集合胴に、複数のステンシル胴が配設されている、請求項３記載の凹版印刷機。
　【請求項５】　各ステンシル胴に、インキ装置が配設されている、請求項４記載の凹版印刷機。
　【請求項６】　前記版胴に、拭取装置が配設されている、請求項１記載の凹版印刷機。
　【請求項７】　前記スクリーン印刷胴が、生産方向でみて、前記拭取装置の上流側で前記版胴に配置されている、請求項６記載の凹版印刷機。
　【請求項８】　前記スクリーン印刷胴が、生産方向でみて、前記拭取装置の下流側で前記版胴に配置されている、請求項６記載の凹版印刷機。
　【請求項９】　前記スクリーン印刷胴が、支持エレメントを備えており、該支持エレメントが、前記スクリーン印刷胴の、周に関して制限された区分の領域において、胴軸方向で延びている、請求項１記載の凹版印刷機。
　【請求項１０】　前記スクリーン印刷胴が、スクリーンを備えており、前記支持エレメントが、前記スクリーンの半径方向外側に配置されている、請求項９記載の凹版印刷機。
　【請求項１１】　前記スクリーン印刷胴が、スクリーンを備えており、前記支持エレメントが、前記スクリーンの半径方向内側に配置されている、請求項９記載の凹版印刷機。
　【請求項１２】　前記支持エレメントが、乗り上げエッジと乗り下げエッジとを備えており、これらのエッジが、前記スクリーン印刷胴の周面の母線に対して角度付けして延びている、請求項９記載の凹版印刷機。
　【請求項１３】　前記乗り上げエッジおよび乗り下げエッジが、長く引っ張った螺旋形状を有している、請求項１２記載の凹版印刷機。
　【請求項１４】　前記支持エレメントが、インキにとって非透過性である、請求項９記載の凹版印刷機。」
　
２　パリ条約による優先権の主張について  
　本願は、パリ条約による優先権の主張をするものであるが、そのうちの２０００年１月２５日の出願（末尾添付書類参照。）に基づく優先権主張のものは、以下（１）及び（２）に示す理由により認められない。
　よって、本願のパリ条約による優先権の主張は、２０００年５月２５日をその基準日（以下「優先日」という。）とするものと認める。
　
（１）上記１に示した本願の請求項１ないし１４に係る発明は、「凹版が、凹版インキを収容するのに適した微細な溝によって形成される凹版印刷パターンと、スクリーンインキを収容するのに適した比較的大きな凹部によって形成されるスクリーン印刷パターンとを備えており、」を、その発明を特定するために必要な事項とするものである。
　しかしながら、上記２０００年１月２５日の出願に添付された明細書及び図面のいずれにも、凹版印刷機に使用される「凹版」自体の構造については記載も示唆もされていないことから、本願の請求項１ないし１４に係る発明を特定するために必要な事項である、上記「凹版が、凹版インキを収容するのに適した微細な溝によって形成される凹版印刷パターンと、スクリーンインキを収容するのに適した比較的大きな凹部によって形成されるスクリーン印刷パターンとを備えており、」は、上記２０００年１月２５日の出願に添付された明細書及び図面から、当業者が自明に把握できたものとは認められない。
　
（２）上記１に示した本願の請求項９ないし１４に係る発明は、「スクリーン印刷胴」が「支持エレメント」を備えることを、その発明を特定するため必要な事項とするものである。
　しかしながら、上記２０００年１月２５日の出願に添付された明細書及び図面のいずれにも、「スクリーン印刷胴」が「支持エレメント」を備えることについては記載も示唆もされていないことから、請求項９ないし１４に係る発明を特定するために必要な上記事項は、上記２０００年１月２５日の出願に添付された明細書及び図面から、当業者が自明に把握できたものとは認められない。
　ここで、本願の請求項９ないし１４に係る発明は請求項１を引用するものであるところ、本願の請求項１に係る発明は「スクリーン印刷胴」をその発明を特定するために必要な事項とするものである。してみると、本願の請求項１に係る発明を特定するために必要な事項である「スクリーン印刷胴」は、請求項９ないし１４に係る発明を特定するために必要な事項である「支持エレメント」を備えるものを含むと解される。しかしながら、上記のとおり、「スクリーン印刷胴」が「支持エレメント」を備えることについては、上記２０００年１月２５日の出願に添付された明細書及び図面から、当業者が自明に把握できたものとは認められない。
　そして、請求項１を引用する請求項２ないし８に係る発明についても、「スクリーン印刷胴」をその発明を特定するために必要な事項とするものであるから、同様に、「スクリーン印刷胴」が「支持エレメント」を備えることについては、上記２０００年１月２５日の出願に添付された明細書及び図面から、当業者が自明に把握できたものとは認められない。
　
第３　引用刊行物及び引用発明 
　本願の優先日前に頒布された刊行物であって、当審拒絶理由に引用された特開２０００−１２７３５１号公報（平成１２年（２０００年）５月９日公開）、以下「引用例」という。）には、以下の１ないし２の記載が図示とともにある。 
　
１　「【特許請求の範囲】 
 【請求項１】凹版を周面に取り付けられた版胴と、 
 前記版胴に対接する圧胴と、前記版胴に対接し、周面にブランケットを取り付けられたインキ集合胴と、前記インキ集合胴の前記ブランケットにインキを供給する第一インキ供給手段と、 
 前記版胴に対接し、前記凹版にインキを供給する第二インキ供給手段と、 
 前記版胴に対接するワイピングローラとを備えてなる凹版印刷機であって、　
 前記第二インキ供給手段がロータリースクリーンを備えてなることを特徴とする凹版印刷機。」 
　
２　「【０００８】 
 【発明の実施の形態】本発明による凹版印刷機の実施の形態を図１〜３を用いて説明する。なお、図１は、その要部の概略構成図、図２は、図１のロータリースクリーンの内部の概略構造図、図３は、図１のゴムローラの平面図である。 
 【０００９】図１に示すように、紙１００の積載された給紙装置１０には、当該給紙装置１０のサッカ機構で上層から一枚ずつ送り出された紙１００を受けて印刷見当を合わせる差板１１が連絡している。差板１１には、当該差板１１上の紙１００をくわえて揺動するスイング装置１２が配設されている。 
 【００１０】前記スイング装置１２には、くわえ爪１４ａを周方向にわたって等間隔で複数（本実施の形態では３つ）配設された圧胴１４が渡胴１３を介して連絡している。渡胴１３には、上記圧胴１４の上記くわえ爪と同様なくわえ爪が設けられており、スイング装置１２からくわえ替えた紙１００を圧胴１４のくわえ爪にくわえ替えさせることができるようになっている。
 【００１１】前記圧胴１４には、周方向に沿って複数の凹版を取り付けできる版胴１５が対接している。版胴１５の上記凹版には、周方向に沿って複数のゴム製のブランケットを取り付けできるインキ集合胴１６が対接している。このインキ集合胴１６には、シャブロン胴１７が周方向にわたって複数（本実施の形態では４つ）対接している。これらシャブロン胴１７には、主図案を印刷する一般インキを充填されたインキ壺２０が壺ローラ１９および中間ローラ１８を介してそれぞれ対接している。このようなシャブロン胴１７、中間ローラ１８、壺ローラ１９、インキ壺２０などにより、本実施の形態では第一インキ供給手段を構成している。 
 【００１２】また、前記版胴１５には、偽造防止用の図案を印刷するＯＶＩ(Optical Variable Ink)などのような特殊インキを内部に充填されたロータリースクリーン２２がゴムローラ２１を介して対接しており、当該ロータリースクリーン２２は、図２に示すような構造となっている。 
 【００１３】図２に示すように、上記ロータリースクリーン２２は、絵柄に応じた小孔をエッチングした薄いスクリーン（ステンレスやニッケルなどからなる）を円筒状にして中空胴２２ｃを作成し、フレームに固定されたインキ送出手段であるインキ壺２２ａおよびスキージ２２ｂを内部に位置させるように当該中空胴２２ｃを回転可能に取り付け、当該中空胴２２ｃを回転させながらスキージ２２ｂによりインキ壺２２ａ内の特殊インキを中空胴２２ｃの上記小孔から送り出すことにより、前記ゴムローラ２１のブランケット２１ａの印刷パターン２１ｂ（図３参照）を介して版胴１５の凹版に特殊インキを供給することができるようになっている。 
 【００１４】つまり、ロータリースクリーン２２は、特殊インキを所定パターンで一定量づつ直接送給することができるのである。このようなゴムローラ２１、ロータリースクリーン２２などにより、本実施の形態では第二インキ供給手段を構成している。 
 【００１５】なお、ゴムローラ２１は、インキ集合胴１６から版胴１５の凹版に転写された一般インキがロータリースクリーン２２側に移ることを防ぐため、図３に示すように、版胴１５の凹版に転写されている一般インキ部分と当接する外周のブランケット２１ａ部分に溝２１ｃが形成されている。このゴムローラ２１のブランケット２１ａの溝２１ｃが当該ブランケット２１ａの幅方向全長にわたって形成されていると、ロータリースクリーン２２のスキージ２２ｂが中空胴２２ｃと共に当該溝２１ｃ内に落ち込んでしまう。このため、ロータリースクリーン２２のスキージ２２ｂおよび中空胴２２ｃをゴムローラ２１のブランケット２１ａの溝２１ｃ内に落ち込ませないように当該スキージ２２ｂの両端側を中空胴２２ｃを介して常に支持する支持部２１ｄが当該ゴムローラ２１のブランケット２１ａの幅方向両端側に形成されている。 
 【００１６】一方、図１に示すように、前記版胴１５の上記凹版には、ワイピングローラ２３が対接している。このワイピングローラ２３は、洗浄液を貯えたワイピングタンク２４内に浸漬している。 
 【００１７】また、前記圧胴１４には、排紙胴２５が対接している。排紙胴２５と同軸上のスプロケットと図示しないスプロケットとの間には、一対の排紙チェーン２６が張架されている。排紙チェーン２６には、圧胴１４のくわえ爪１４ａから紙１００をくわえ替える図示しない排紙爪が設けられている。 
 【００１８】このような凹版印刷機では、給紙装置１０から差板１１上へ一枚ずつ送り出された紙１００がスイング装置１２から渡胴１３を経て圧胴１４のくわえ爪１４ａにくわえ替えられて搬送される一方、インキ壺２０内から一般インキが壺ローラ１９および中間ローラ１８を介してシャブロン胴１７にそれぞれ供給されてインキ集合胴１６にそれぞれ供給されてから、版胴１５（審決注：「叛胴１１２」は「版胴１５」の明らかな誤記であるので、訂正して摘記した。）の凹版に一括して供給されると共に、ロータリースクリーン２２内から特殊インキがゴムローラ２１を介して版胴１５の凹版に所定パターンで一定量づつ直接供給され、これらインキが余剰分をワイピングローラ２３で除去された後、圧胴１４に受け渡された紙１００に転写されて印刷され、当該紙１００が排紙胴２５を介して排紙チェーン２６で搬送排紙される。 
 【００１９】ここで、先にも説明したように、ロータリースクリーン２２が特殊インキを所定パターンで一定量づつ直接送給するので、転写特性の悪い特殊インキであっても、版胴１５の凹版に効率よく供給することができる。 
 【００２０】したがって、高価で転写特性の悪い特殊インキを用いる場合でも、印刷品質の低下を防止することができると共に、印刷コストの上昇を抑制することができる。　 
 【００２１】　 
 【発明の効果】本発明による凹版印刷機は、版胴に対接して凹版にインキを供給する第二インキ供給手段がロータリースクリーンを備えてなるので、高価で転写特性の悪い特殊インキであっても、当該ロータリスクリーンにより供給すれば、版胴の凹版に効率よく供給することができる。このため、高価で転写特性の悪い特殊インキを用いる場合でも、印刷品質の低下を防止することができると共に、印刷コストの上昇を抑制することができる。」　 
　
３　上記１、２及び引用例の明細書及び図面全体から、引用例には以下の発明（以下「引用発明」という。）が記載されている。
「凹版印刷機であって、
　圧胴１４と、
　周方向に沿って複数の凹版を取り付けできる版胴１５と、
を有しており、
　前記版胴１５の上記凹版に、周方向に沿って複数のゴム製のブランケットを取り付けできるインキ集合胴１６が対接し、該インキ集合胴１６には、シャブロン胴１７が周方向にわたって複数対接し、該シャブロン胴１７には一般インキを充填されたインキ壺２０が壺ローラ１９及び中間ローラ１８を介して対接しており、
　前記版胴１５には、特殊インキを内部に充填されたロータリースクリーン２２がゴムローラ２１を介して対接しており、
　インキ壺２０内から前記一般インキが壺ローラ１９および中間ローラ１８を介してシャブロン胴１７にそれぞれ供給されてインキ集合胴１６にそれぞれ供給されてから、版胴１５の凹版に一括して供給されると共に、ロータリースクリーン２２内から特殊インキがゴムローラ２１を介して版胴１５の凹版に所定パターンで一定量づつ直接供給され、
　これらインキが前記圧胴１４に受け渡された紙１００に転写されることにより印刷をする、
　凹版印刷機。」
　
第４　対比　
　本願発明と引用発明を対比する。
１　引用発明の「圧胴１４」、「版胴１５」、「ロータリースクリーン２２」及び「紙１００」は、それぞれ、本願発明の「圧胴」、「版胴」、「スクリーン印刷胴」及び「被印刷材料」に相当する。
　
２　引用発明の「一般インキ」は「壺ローラ１９および中間ローラ１８を介してシャブロン胴１７にそれぞれ供給されてインキ集合胴１６にそれぞれ供給されてから、版胴１５の凹版に一括して供給される」ものであるから、本願発明の「凹版インキ」に相当するといえる。
　
３　引用発明の「周方向に沿って複数のゴム製のブランケットを取り付けできるインキ集合胴１６が対接し、該インキ集合胴１６には、シャブロン胴１７が周方向にわたって複数対接し、該シャブロン胴１７には一般インキを充填されたインキ壺２０が壺ローラ１９及び中間ローラ１８を介して対接」した構成は、「凹版インキ（一般インキ）」を「版胴１５の凹版に一括して供給」するものであるから、「凹版にインキを供給する手段」であって、「凹版」に「凹版インキを供給する」ものであるといえる。
　よって、引用発明は、本願発明の「凹版にインキを供給する手段」であって、「該インキ供給手段」が「凹版」に「凹版インキを供給する」構成を備えている。
　
４　引用発明は、「版胴１５の凹版」に「供給されたインキ」が、「圧胴１４に受け渡された被記録材料（紙１００）に転写されることにより印刷をする」ものであるから、「被記録材料（紙１００）」が版胴１５と圧胴１４との間を通過し、版胴１５と圧胴１４とが協働して印刷するものであることが、当業者に自明である。
　よって、引用発明は、本願発明の「圧胴が、版胴と圧胴との間を通過する被印刷材料に印刷を行うために版胴と協働する」構成を備えている。
　
５　引用発明の「特殊インキ」は、「ロータリースクリーン２２内」から「ゴムローラ２１を介して版胴１５の凹版に所定パターンで一定量づつ直接供給され」るものであるから、本願発明の「スクリーンインキ」に相当するといえる。
　
６　引用発明の「スクリーン印刷胴（ロータリースクリーン２２）」は、「スクリーンインキ（特殊インキ）」を「ゴムローラ２１を介して版胴１５の凹版に所定パターンで一定量づつ直接供給」するものであるから、本願発明の「スクリーン印刷胴」とは、「スクリーンインキ」を、「凹版」に「供給するため」の「スクリーン印刷胴」であって、前記「凹版」に「スクリーンインキを伝達する」点で一致する。
　
７　したがって、本願発明と引用発明とは、
「凹版印刷機において、
　版胴が設けられており、該版胴に少なくとも１つの凹版が設けられており、
　前記凹版にインキを供給するための手段が設けられており、該インキ供給手段が前記凹版に凹版インキを供給するようになっており、
　圧胴が設けられており、該圧胴が、版胴と圧胴との間を通過する被印刷材料に印刷を行うために版胴と協働するようになっており、
　スクリーンインキを、前記凹版に供給するための少なくとも１つのスクリーン印刷胴であって、該スクリーン印刷胴が前記凹版にスクリーンインキを伝達するようになっている、凹版印刷機。」
である点で一致し、以下の点で相違する。
相違点：
　本願発明の「版胴」に設けられる「凹版」は、「凹版インキを収容するのに適した微細な溝によって形成される凹版印刷パターンと、スクリーンインキを収容するのに適した比較的大きな凹部によって形成されるスクリーン印刷パターンとを備えており、比較的大きな凹部が、凹版インキを収容する微細な溝よりも大きくなって」いるものであって、凹版にインキを供給するための手段が「凹版印刷パターン」である「前記凹版の微細な溝」に凹版インキを供給し、スクリーン印刷胴が「スクリーン印刷パターン」である「前記凹版の比較的大きな凹部」にスクリーンインキを供給する、との特定を有するのに対し、引用発明の「版胴」に設けられる「凹版」は、どのようなパターンを有するものか不明であり、上記特定を有さない点。
　
第５　判断　  
　上記相違点について検討する。
１　上記相違点は、本願発明である「印刷機」において印刷のために使用される「凹版」に関するものである。
　このような「凹版」に関する相違点が、本願発明をどのように特定するものであるかは、以下に示す解釈が可能である。
（１）解釈１
　通常、印刷機は、印刷したい内容に応じて種々の版を交換して印刷を行うものであるから、印刷機に使用される版自体は、印刷機という発明を特定するために必要な事項には含まれない。よって、相違点１である「凹版」に関する事項は、本願発明である「印刷機」を何ら特定するものではない。
　
（２）解釈２
　通常、印刷機は、印刷したい内容に応じて種々の版を交換して印刷を行うものであるから、印刷機に使用される版自体は、印刷機という発明を特定するために必要な事項には含まれないものの、特定の版が使用されることによって、印刷機という発明を特定するために必要な事項が限定されるとの解釈が可能である。つまり、上記相違点に係る本願発明の構成により、「凹版」にインキを供給する「凹版にインキを供給するための手段」と「スクリーン印刷胴」のうち、少なくとも１つについて、何らかの特定がなされているとの解釈が可能である。
　
（３）解釈３
　本願発明である「印刷機」は、特定の「凹版」を使用する「印刷機」との限定がなされているものである。したがって、本願発明の「凹版」の具体的な構成は、発明を特定する為に必要な事項として認められる。
　
２　したがって、以下では、上記解釈１ないし３について、それぞれ検討する。
（１）解釈１について
　上記解釈１によれば、上記相違点は、本願発明を特定するために必要な事項を規定するものとは認められないから、本願発明である「印刷機」を特定するために必要な事項は、引用発明と同一のものである。
　
（２）解釈２について
　ア　上記解釈２によれば、上記相違点は、本願発明を特定するために必要な事項である「凹版にインキを供給するための手段」と「スクリーン印刷胴」のうち、少なくとも１つについて、何らかの特定がなされていると解釈する余地があるというものである。
　しかしながら、本願の発明の詳細な説明の記載及び図面には、相違点に係る本願発明の構成が、具体的にどのように「凹版にインキを供給するための手段」又は「スクリーン印刷胴」を特定するものであるのか、記載も示唆もされていない。
　したがって、上記相違点は、本願発明を特定するために必要な事項である「凹版にインキを供給するための手段」と「スクリーン印刷胴」のうち、少なくとも１つについて、どのような特定をするものであるのか、本願の発明の詳細な説明の記載及び図面を参酌しても、当業者といえども理解できない。
　よって、本願発明を特定するために必要な事項である「凹版にインキを供給するための手段」及び「スクリーン印刷胴」は、どのような「凹版にインキを供給するための手段」及び「スクリーン印刷胴」であっても包含するものと解釈せざるを得ない。
　してみると、引用発明は、上記「第４」で述べたように、「周方向に沿って複数のゴム製のブランケットを取り付けできるインキ集合胴１６が対接し、該インキ集合胴１６には、シャブロン胴１７が周方向にわたって複数対接し、該シャブロン胴１７には一般インキを充填されたインキ壺２０が壺ローラ１９及び中間ローラ１８を介して対接」した構成よりなる「凹版にインキを供給するための手段」と、「ロータリースクリーン２２（スクリーン印刷胴）」を備えていることから、引用発明は、本願発明を特定するために必要な事項である「凹版にインキを供給するための手段」及び「スクリーン印刷胴」を備えるものといえる。
　よって、本願発明は引用発明と同一のものである。
　イ　なお、上記解釈２に関連して、当審において、平成２１年６月２３日付け審尋により、「凹版」に関する特定が、「凹版にインキを供給するための手段」と「スクリーン印刷胴」のうち、少なくとも１つについて何らかの特定をするものであるかどうかについて、請求人に意見を求めたところ、平成２１年１２月１５日付け回答書からは、「凹版」に関する特定により「凹版にインキを供給するための手段」と「スクリーン印刷胴」が具体的に特定されるものであるとの主張はなされなかった。
　よって、上記アにおいて、「凹版」に関する特定は「凹版にインキを供給するための手段」と「スクリーン印刷胴」を具体的に特定するものではないとした判断は、請求人の回答書の趣旨に添うものである。
　
（３）解釈３について
　ア　インキを収容する微細な溝よりなるパターンと、インキを収容する比較的大きな溝よりなるパターンよりなる凹版を使用して、該凹版のそれぞれのパターンに異なるインキを供給することにより、偽造防止印刷を行う凹版印刷機は、本願の優先日前に周知の技術である（例．特開昭５８−１８３２５７号公報（特に特許請求の範囲及び３頁左下欄９行〜同頁右下欄６行参照。）及び特開平１０−２９１２９７号公報（特に段落【００１０】及び【００２２】参照。）。以下「周知技術」という。）。
　イ　引用例の段落【００１２】に「偽造防止用の図案を印刷する」（上記「第２　２」参照。）とあることから、引用発明は偽造防止のための印刷を行う印刷機であるところ、偽造防止印刷に使用する「凹版」として、上記周知技術である、「インキを収容する微細な溝よりなるパターンと、インキを収容する比較的大きな溝よりなるパターンよりなる凹版」を使用するとともに、「該凹版のそれぞれのパターンに異なるインキを供給する」構成を採用することは、当業者ならば容易に想到することができたものであり、その際に、「インキを収容する微細な溝よりなるパターン」と「インキを収容する比較的大きな溝よりなるパターン」にインキを供給する手段として、一般インキを版胴１５の凹版に供給する構成と、ロータリースクリーン２２のいずれを用いるかは、当業者が適宜設計することができた事項である。
　ウ　よって、上記相違点に係る本願発明の構成は、当業者が、引用発明及び周知技術から容易に想到することができたものである。
　エ　効果について 
　本願発明が奏する効果は、引用発明が奏する効果及び周知技術が奏する効果から当業者が予測し得たものである。 
　オ　小括 
　以上のとおり、本願発明は、当業者が、引用例に記載された発明及び周知技術に基づいて容易に発明をすることができたものである。 
 　 
３　まとめ 
　上記のとおりであるから、「凹版」に関する相違点を有する本願発明は、上記１における解釈１ないし３のいずれの場合であっても、引用例に記載された発明と同一、若しくは、引用例に記載された発明及び周知技術から容易に想到することができたものである。
　
第６　むすび  
　上記第５のとおり、本願発明は、引用例に記載された発明と実質的に同一であるから、特許法第２９条第１項第３号に該当し、特許を受けることができず、また本願発明は、当業者が、引用例に記載された発明及び周知技術に基づいて容易に発明をすることができたものであるから、特許法第２９条第２項の規定により特許を受けることができない。 
　したがって、その余の点の請求項について論及するまでもなく、本願は拒絶すべきものである。
　よって、結論のとおり審決する。